(57)【特許請求の範囲】
【請求項１】
複数の第１ピン孔を有する固定の基準部材及び複数の第２ピン孔を有する移動部材を対向させて、かつ相互に摺動可能に設け、基準部材に対する移動部材の相対的移動を拘束し又は許容するために、対応する第１ピン孔及び第２ピン孔に跨って保持されるか一方のピン孔に保持される任意数の磁性ピンを備え、移動部材を拘束させた際の磁性ピンを磁力により作動させてシアラインに合わせるようにするための所要の着磁部を備えた合カードを、基準部材又は移動部材に近接させて差し込めるようにしたカード挿入通路を設けてなり、合カードによって基準部材から自由になった移動部材により錠機構を制御するようにした磁石カード錠において、移動部材をカード挿入方向と直角方向に移動できるように案内すると共に、基枠と移動部材の前方部との間に弾装された戻しばねの弾力により移動部材を施錠位置方向に付勢し、一方、基枠におけるカード挿入通路の後方に、平面形がＬ字形で、一端を挿入される合カードの前端に対向させ、他端を移動部材の後方部に対向させるようにした伝達レバーを回動可能に枢着し、伝達レバーの他端と移動部材の後方部との間に移動部材の戻しばねよりも弾力が大きい押しばねを弾装したことを特徴とする磁石カード錠の破壊防止装置。
【発明の詳細な説明】
【０００１】
【産業上の利用分野】
この発明は、磁石カード錠の破壊防止装置に関する。磁石カード錠は、ドアの錠機構に付設されて用いられることが多い。
【０００２】
【従来の技術】
特開平１−１５４９８２号公報にカード読取装置としてその一例が開示されている従来の磁石カード錠は、複数の第１ピン孔を有する基準部材及び複数の第２ピン孔をを有する移動部材を対向させて設け、基準部材に対する移動部材の相対的移動を拘束し又は許容するために、対向する第１ピン孔及び第２ピン孔に跨って保持されるか一方のピン孔に保持される任意数の磁性ピンを備え、移動部材を拘束させた際の磁性ピンを磁力により作動させてシアラインに合わせるようにするための所要の着磁部を備えた合カード（特定の磁石カード錠を作動させ得るカード）を、基準部材又は移動部材に近接させて差し込めるようにしたカード挿入通路を設けて成る。
【０００３】
しかしながら、前記のような磁石カード錠では、ドア等に固定的に取り付けられる基準部材に対し変位可能な移動部材が磁性ピンで拘束状態（施錠状態）にある時、カード挿入通路から異カード（全ての磁性ピンをシアラインに備えることができないカード）又は鉄板等の強靭な薄板が差し込まれると、基準部材と移動部材との間に跨った位置にある磁性ピンには、異カード又は薄板に差し込み力がそのまま剛的に加えられることになり、換言すれば、大きな剪断力が負荷されることになり、磁性ピンは長期の使用により、又は瞬時に損壊されるところとなる。
【０００４】
磁性ピンが損壊されることは、磁石カード錠自体が破壊されることであり、ドアその他の取付対象物の錠機構が不正解錠されて、不法侵入や盗難等の犯罪を発生させることになる。
【０００５】
【発明が解決しようとする課題】
この発明は、上記の問題点を解決し、安全性の高い磁石カード錠を提供するために開発された磁石カード錠における破壊防止装置を提供することを目的としている。
【０００６】
【課題を解決するための手段】
前記の目的を達成するため、請求項１に記載の磁石カード錠の破壊防止装置は、複数の第１ピン孔を有する固定の基準部材及び複数の第２ピン孔を有する移動部材を対向させて、かつ相互に摺動可能に設け、基準部材に対する移動部材の相対的移動を拘束し又は許容するために、対応する第１ピン孔及び第２ピン孔に跨って保持されるか一方のピン孔に保持される任意数の磁性ピンを備え、移動部材を拘束させた際の磁性ピンを磁力により作動させてシアラインに合わせるようにするための所要の着磁部を備えた合カードを、基準部材又は移動部材に近接させて差し込めるようにしたカード挿入通路を設けてなり、合カードによって基準部材から自由になった移動部材により錠機構を制御するようにした磁石カード錠において、移動部材をカード挿入方向と直角方向に移動できるように案内すると共に、基枠と移動部材の前方部との間に弾装された戻しばねの弾力により移動部材を施錠位置方向に付勢し、一方、基枠におけるカード挿入通路の後方に、平面形がＬ字形で、一端を挿入される合カードの前端に対向させ、他端を移動部材の後方部に対向させるようにした伝達レバーを回動可能に枢着し、伝達レバーの他端と移動部材の後方部との間に移動部材の戻しばねよりも弾力が大きい押しばねを弾装したことを特徴とする。
【０００７】
【作用】
図１〜図３を参照して、この発明が実施された磁石カード錠の破壊防止装置の作用について説明する。図１〜図３の状態では、移動部材２は固定的に装着された基準部材１２に対し磁性ピン４をもって拘束されている。
【０００８】
所定の合カード１６（図６及び図７参照）が挿入方向Ａに向けてカード挿入通路１ｄに差し込まれると、合カード１６の着磁部１６ｂが磁性ピン４に対し反発力又は吸着力としての磁力（図示例では反発力）を付与するので、該磁性ピン４はその一端がシアライン（基準部材１２と移動部材２との対向接触面）に合致することになり、移動部材２はその拘束が解かれ、移動が許容されることになる。
【０００９】
同時に、合カード１６の先端は、例えば平面形がＬ字状をなす伝達レバー６及び押しばね８を介して、移動部材２を矢印Ｂで示す範囲を変位させる。
【００１０】
この際、戻しばね９は移動部材２の変位に伴って弾性変形するが、戻しばね９よりも弾力が大きい押しばね８は、伝達レバー６の押圧力を単に伝えるだけで、当初の姿をそのまま保ち弾性変形することはない。
【００１１】
移動部材２の基準部材１２に対する前記のような相対的変位は、移動部材２に固定された作用片３等を通じてドアその他の取付対象物の錠機構（図示しない）に伝えられ、その錠機構を解錠させる。
【００１２】
合カード１６をカード挿入通路１ｄより抜き出せた、前述の操作において作動していた各部材はいずれも原位置に戻る。
【００１３】
一方、異カード又は強靭な薄板がカード１ｄに差し込まれて、伝達レバー６が揺動変位すると、移動部材２は跨った位置にある磁性ピン４により基準部材１２に拘束されたままの状態が保持されるので、伝達レバー６の変位は押しばね８の圧縮等の弾性変形により吸収される。換言すれば、前記の変位は押しばね８の弾性変形により逃がされる。
【００１４】
この際、磁性ピン４には、薄板等による押圧力の全量が剪断力となって剛的に作用することはなく、その大部分は押しばね８により逃がされるので、磁性ピン４を瞬時に破壊させたりすることがなく、また、そのピン４に大きな疲労を蓄積させることもない。
【００１５】
なお、この操作においても、異カード又は強靭な薄板を差き出せば、変位していた各部材は原位置に戻る。
【００１６】
図８に示す別の実施例においては、異カード又は強靭な薄板がカード挿入通路１ｄに差し込まれると、移動部材２は磁性ピン４により基準部材１２に拘束されたままの状態が保持されるが、薄板等の押圧力は押しばね８の弾性変形により逃がされることになり、磁性ピン４には過大な剪断力が作用しないことになる。
【００１７】
【実施例】
以下図面に示す実施例に基いてこの発明について説明する。
図示の磁石カード錠の後方側に付設されるドア、その他の取付対象物の錠機構（図示しない）は、機械式のもの、電気式のもの、またハンドルを用いた手動式のものなど任意に選択し得る。
【００１８】
図１〜図５において、符号１はドアその他の取付対象物（図示しない）に固定される基枠、符号１ｄは、基枠１の上方部分と固定の蓋板１ｅとの間に合カード１６（図６及び図７参照）をカード挿入方向Ａに向けて差し込むことができるように設けたカード挿入通路、１２は複数の第１ピン孔１２ａを有し、縦断面がコ字状をなすカバー板２４等で基枠１に固定された基準部材、２は複数の第２ピン孔２ａを有し、基準部材１２に対向させると共に、基枠１に対し例えばカード挿入方向Ａと直角をなす方向に矢印Ｂの範囲で摺動可能に装着された移動部材、９は基枠１と移動部材２との間に設けた圧縮ばね等の戻しばねをそれぞれ示す。
【００１９】
対応させた第１ピン孔１２ａ及び第２ピン孔２ａの組には、複数（図１の実施例で２３）の組から選ばれた任意数（同実施例で７）の組について、磁性ピン４を挿入する。
【００２０】
なお、図１及び図４において、磁性ピン４は、その挿入位置（７個所）を明瞭にするために、いずれも直交させた斜線でマークして表示した。
【００２１】
そして、前記の磁性ピン４が両ピン孔１２ａ、２ａに跨って保持されるか、一方のピン孔のみで保持されるかにより、基準部材１２に対する移動部材２の相対的移動が拘束され、又はその移動が許容されることになる。
【００２２】
図６及び図７に示すように、合カード１６には磁石層１６ａが埋設されており、その磁石層１６ａに磁性ピン４の配列及び極性に対応させた所要の着磁部１６ｂが設けてある。
【００２３】
従って、この合カード１６をカード挿入通路１ｄに差し込めば、その着磁部１６ｂにより、基準部材１２と移動部材２との間に跨って存在する磁性ピン４は、その一端をシアライン（基準部材１２と移動部材２との対向接触面）に合せることができるので、移動部材２の基準部材１２に対する拘束が解除されることになる。
【００２４】
磁性ピン４は、移動部材２の第２ピン孔２ａ内で圧縮ばね等のピンばね５及び／又は重力の作用により基準部材１２に向うように付勢するものであるが、図２において、磁気カード錠を天地を逆にしてドア等の取付対象物に組み付けた場合、磁性ピン４は重力によって付勢されることになるので、前記のピンばね５は省略することができる。
【００２５】
図２及び図３を参照して、基準部材１２の第１ピン孔１２ａから磁性ピン４が抜け出さないようにするため、基枠１には縦断面がコ字状をなすカバー板２４が取り付けてあるが、例えば、基準部材１２の第１ピン孔１２ａを貫通させたものではなく、有底のものとした場合は、そのカバー板２４は省略することができる。
【００２６】
図１、図３及び図４に示すように、基枠１におけるカード挿入通路１ｄの後方には、適当な大きさの空間部１ａが設けてあり、その空間部１ａには縦軸６ａをもって枢着された伝達レバー６が備えてある。符号１ｂは基枠１から空間部１ａに向け一体に突出させた取付部で、その取付部１ｂに伝達レバー６が枢着されている。
【００２７】
伝達レバー６は、その平面形（平面投影形）がＬ字状をなすように形成してあり、一端をカード挿入通路１ｄの後部開口に対向させ、また、他端を移動部材２の後方部に対向させるようにして設ける。
【００２８】
符号１ｆ、２４ａ及び１２ｅは、いずれも揺動作動時の伝達レバー６の一端側を逃がすために蓋板１ｅ、カバー板２４及び基準部材１２にそれぞれ設けた切欠きである。
【００２９】
伝達レバー６の他端側は、貫通孔１ｃを通じて基枠１内に向け突出してあり、移動部材２の後方部に対向する。移動部材２の後部に設けた空所２ｂには圧縮ばね、ねじりばねその他任意の種類の押しばね８が装着してある。
【００３０】
そして、伝達レバー６の一端が合カード１６によって押圧された時、伝達レバー６は揺動すると共に、その他端で受け板７及び前記押しばね８を介して移動部材２を摺動変位させる。
【００３１】
押しばね８の弾力は上述の戻しばね９のそれよりも大きいものが採用されている。従って、伝達レバー６が合カード１６で押された時は、移動部材２は戻しばね９の圧縮等の弾性変形に伴って変位するが、その際、弾力の大きい押しばね８は当初の姿をそのまま保ち、弾性変形はしない。
【００３２】
伝達レバー６の他端と押しばねとの間の受け板７は、例えば、押しばね８が装着される移動部材２の空所２ｂに移動部材２の変位方向に沿って摺動自在に装着してあり、伝達レバー６及び押しばね８から成る力の伝達系統の作動を円滑にするために介装したものであるが、この受け板７は必ずしも設けることを要しない。
【００３３】
図８に示す別の実施例においては、基準部材１２は基枠（１）を兼ねており、移動部材２は基準部材１２に対しカード挿入方向Ａに沿う方向に変位できるように設けてある。
【００３４】
そして、磁性ピン４の抜け止めのカバー板２４は移動部材２側に固定されており、磁性ピン４の付勢は重力によって行われているので、ピンばねは省略されている。
【００３５】
また、移動部材２を受ける基準部材１２（基枠１）におけるカード挿入通路１ｄの後方には、移動部材２の戻しばね９よりも弾力の大きい押しばね８を装着する。
【００３６】
前記の押しばね８の前方には、カード挿入通路１ｄに向け基準部材１２内で摺動可能な受け板７を備え、押しばね８の後方には、移動部材２の後方を直角に折り曲げて形成した作用片を兼ねる折曲部３を当接させる。
【００３７】
異カード又は強靭な薄板による受け板７の後方への移動は、受け板７及び押しばね８が装着された空所１２ｂに設けた段部１２ｃで制限される。
【００３８】
【発明の効果】
以上に説明したこの発明の磁石カード錠の破壊防止装置によれば、カード挿入通路から異カード又は鉄板等の強靭な薄板が差し込まれても、磁性ピンには、異カード又は強靭な薄板による押圧力の全量が剪断力となって剛的に作用することはなく、その大部分が押しばねにより逃がされるので、磁性ピンを瞬時に破壊させたり、そのピンに大きな疲労を蓄積させたりすることもなく、従って、磁石カード錠の破壊による錠機構の不正解錠を防止できる上、磁石カード錠の寿命を延長させる等の効果を奏する。
【図面の簡単な説明】
【図１】この発明の実施例において蓋板及びカバー板の一部を取り除いて示す平面図。
【図２】その実施例の縦断側面図。
【図３】その要部を示すため別の断面において示す部分縦断側面図。
【図４】図１の平面図から更に基準部材を取り外して示す平面図。
【図５】図４で取り外した基準部材の平面図。
【図６】上記実施例の磁石カード錠において用いられる合カードの平面図。
【図７】その部分縦断側面図。
【図８】この発明の別の実施例を示す縦断側面図。
【符号の説明】
１  基枠
１ｄ  カード挿入通路
２  移動部材
２ａ  第２ピン孔
４  磁性ピン
６  伝達レバー
８  押しばね
９  戻しばね
１２  基準部材
１２ａ  第１ピン孔
１６  合カード
１６ｂ  着磁部
【図１】
0003593143.tif 000002
【図２】
0003593143.tif 000003
【図３】
0003593143.tif 000004
【図４】
0003593143.tif 000005
【図５】
0003593143.tif 000006
【図６】
0003593143.tif 000007
【図７】
0003593143.tif 000008
【図８】
0003593143.tif 000009